(57)【要約】      （修正有）【課題】床板を可動することなく大容量の収納が可能で、意匠性に優れたベッドを提供する。【解決手段】ベッドフレームの側面に設けられる引き出し式のベッド収納装置７を備えるベッドであって、ベッド収納装置７は、マットレスを載置する天板１０と、天板１０と床面９との間でベッドフレームの側面に一体に設けられ、底部２１に切り欠き穴を備える収納箱２０と、天板１０に回動可能に設けられ、収納箱２０が収納した状態では切り欠き穴を貫通して床面９と当接するように天板１０に対して垂直に配置され、収納箱２０が引き出された状態では天板１０に対して並行に配置される補強フレーム３０と、を有する構成である。【選択図】図３
2011254953.tif 000002
【特許請求の範囲】
【請求項１】
ベッドフレームの側面に設けられる引き出し式のベッド収納装置を備えるベッドであって、
前記ベッド収納装置は、
マットレスを載置する天板と、
前記天板と床面との間で前記ベッドフレームの側面に一体に設けられ、底部に切り欠き穴を備える収納箱と、
前記天板に回動可能に設けられ、前記収納箱が収納した状態では前記切り欠き穴を貫通して前記床面と当接するように前記天板に対して垂直に配置され、前記収納箱が引き出された状態では前記天板に対して並行に配置される補強フレームと、
を有するベッド。
【請求項２】
前記補強フレームは、前記補強フレームの回動と連動して回動するレバーを備えることを特徴とする請求項１に記載のベッド。
【請求項３】
前記補強フレームは、平面がコの字形を呈し、中央の直線部は前記天板にブラケットで回動可能に保持されることを特徴とする請求項１又は請求項２のいずれかに記載のベッド。
【請求項４】
前記天板は、前記補強フレームが前記天板に対して並行に配置される場合に前記補強フレームを収容する溝と、前記溝に設けられ前記補強フレームを係止する係止部材と、を備えることを特徴とする請求項１乃至３のいずれか一項に記載のベッド。
【請求項５】
前記ベッド収納装置は、前記補強フレームが回動して前記天板に対して垂直に配置される際に当接するストッパを備えることを特徴とする請求項１乃至４のいずれか一項に記載のベッド。
【発明の詳細な説明】
【技術分野】
【０００１】
本発明は、ベッドフレームの側面に設けられる引き出し式のベッド収納装置を備えるベッドに関する。
【背景技術】
【０００２】
従来技術として、図８、図９のベッドフレーム４１の側面に引き出し式ベッド収納装置４３を備えるベッド４０がある。従来のベッド４０では、収納箱４２を分割して仕切り板４４を設けて、ベッドフレーム４１の強度を確保している。
【０００３】
また、ベッドフレームの床板を上下に可動させる跳ね上げ式収納装置を備えるベッドで、床板下全面を開放することで大容量の収納スペースを可能にするものがある（例えば、特許文献１参照。）。
【先行技術文献】
【特許文献】
【０００４】
【特許文献１】特開２００６−９５２２１号公報
【発明の概要】
【発明が解決しようとする課題】
【０００５】
しかしながら従来のベッド４０では、収納箱４２はベッド４０の長手方向に分割して構成されるため、ベッド４０の長手方向の収納スペース４５は限られ、収納物の大きさが制約される問題がある。またベッドフレーム４１の横側の収納箱４２は分割された構成のため意匠性が損なわれる問題がある。
【０００６】
また、特許文献１のベッドでは、ベッドフレームの床板を上下に可動させる跳ね上げの回転軸がベッドの長手方向または幅方向の一方に配置されるため、収納部の奥側のスペース部は開口部から距離があり、床板との間の開口は小さくなる。また、リンクなどの跳ね上げ機構も収納物の出し入れの障害となる。また、収納物の出し入れの際に上昇した床板が下降したり、リンクなどの跳ね上げ機構への挟み込みが懸念される。また、ベッドのメイキングが崩れる問題がある。跳ね上げ式収納装置は、一般的にガススプリングの補助力により回動リンクを介して床板を上下に可動するため、床板の強度を高める必要から跳ね上げ機構と共にベッド重量が増加する問題がある。
【０００７】
本発明は上記問題点に鑑みて成されたものであり、床板を可動することなく大容量の収納が可能で、意匠性に優れたベッドを提供することを目的とする。
【課題を解決するための手段】
【０００８】
本発明の第１の課題解決手段は、ベッドフレームの側面に設けられる引き出し式のベッド収納装置を備えるベッドであって、前記ベッド収納装置は、マットレスを載置する天板と、前記天板と床面との間で前記ベッドフレームの側面に一体に設けられ、底部に切り欠き穴を備える収納箱と、前記天板に回動可能に設けられ、前記収納箱が収納した状態では前記切り欠き穴を貫通して前記床面と当接するように前記天板に対して垂直に配置され、前記収納箱が引き出された状態では前記天板に対して並行に配置される補強フレームと、を有する構成である。
【０００９】
この場合、前記補強フレームは、前記補強フレームの回動と連動して回動するレバーを備える構成であることが好ましい。
【００１０】
また、前記補強フレームは、平面がコの字形を呈し、中央の直線部は前記天板にブラケットで回動可能に保持される構成であることが好ましい。
【００１１】
また、前記天板は、前記補強フレームが前記天板に対して並行に配置される場合に前記補強フレームを収容する溝と、前記溝に設けられ前記補強フレームを係止する係止部材と、を備える構成であること好ましい。
【００１２】
また、前記ベッド収納装置は、前記補強フレームが回動して前記天板に対して垂直に配置される際に当接するストッパを備える構成であることが好ましい。
【発明の効果】
【００１３】
本発明のベッドでは、補強フレームは収納箱が収納した状態では収納箱の切り欠き穴を貫通して床面と当接するように天板に対して垂直に配置される構成のため、マットレスから天板に作用する荷重を支持することができる。よって収納箱を分割する仕切り板を設けないでベッドフレームの側面に一体の収納箱を構成してもベッドフレームの強度を確保できる。また、補強フレームは収納箱の切り欠き穴を貫通する構成のため、収納箱の引き出しをロックする効果を奏する。補強フレームは収納箱を引き出す際は天板に対して並行に配置されるため、補強フレームと収納箱は干渉することなく、収納箱の引き出しが可能になる。床板を可動することなく布団、スーツケース、収納ケース、掃除機等の大容量の収納物の出し入れが可能になるため、ベッドフレームの床板を上下に可動させる跳ね上げ機構が不要で、収納物の出し入れ、ベッドのメイキングの崩れ、ベッド重量が増加といった問題を解決できる。また収納箱はベッドフレームの側面に一体に構成されるため、意匠性が向上する。
【００１４】
また、補強フレームと連動して回動するレバーを備えることで、補強フレームの回動をレバーにより操作可能となり、補強フレームの操作性が向上する。
【００１５】
また、補強フレームの平面形状をコの字形として、中央の直線部を天板にブラケットで回動可能に保持して回動軸とすることで、マットレスから天板に作用する荷重を２本の脚部で支持することができ、ベッドフレームの強度が向上する。
【００１６】
また、天板に補強フレームを収容する溝と補強フレームを係止する係止部材とを設けることで、補強フレームと収納箱との干渉を防止でき、また補強フレームが床面方向に回動することを防止できる。
【００１７】
また、ベッド収納装置は補強フレームに当接するストッパを備えるため、補強フレームを回動して天板に対して垂直に配置する際に切り欠き穴を貫通して床面と当接する所望の位置が得られる。
【図面の簡単な説明】
【００１８】
【図１】本発明のベッドの正面図である。
【図２】本発明のベッドの平面図である。
【図３】引き出し式のベッド収納装置のＡ部拡大図である。
【図４】引き出し式のベッド収納装置のＢ部拡大図である。
【図５】収納箱が収納した状態のＣ−Ｃ断面図である。
【図６】レバーを回動して補強フレームを垂直から水平に回動する状態を示す説明図である。
【図７】収納箱が引き出された状態のＣ−Ｃ断面図である。
【図８】従来のベッドの正面図である。
【図９】従来のベッドの平面図である。
【発明を実施するための形態】
【００１９】
以下に本発明の実施の形態を図面に基づいて詳細に説明する。
【００２０】
図１は、本発明のベッド１の正面図である。ベッド１は、ヘッドボード２、フットボード３、左右に設けたサイドボード４、５を連結して構成されるベッドフレーム６と、引き出し式のベッド収納装置７と、から構成される。
【００２１】
図２は、ベッド１の平面図である。ベッドフレーム６のサイドボード４側には引き出し式のベッド収納装置７が、サイドボード５側には２枚の床板８が設けられる。ベッド１の使用時は、ベッド収納装置７と床板８に図示しないマットレスが載置される。
【００２２】
図３は、引き出し式のベッド収納装置７のＡ部拡大図である。ベッド収納装置７は、図示しないマットレスを載置する天板１０と、天板１０と床面９との間に設けられる収納箱２０と、天板１０に回動可能に設けられる補強フレーム３０と、から構成される。
【００２３】
天板１０は、補強フレーム３０が天板１０に対して並行に配置される際に補強フレーム３０を収容する溝１１と、溝１１に設けられ補強フレーム３０を係止する係止部材１２と、を備える。係止部材１２は、補強フレーム３０を溝１１に係止できるものであればよく、例えばクリップ、磁石、面ファスナー等である。
【００２４】
収納箱２０は、ベッドフレーム６を構成するサイドボード５の側面に分割しないで一体に設けられる。収納箱の底部２１には、切り欠き穴２２が設けられ、収納箱２０が収納される際は補強フレーム３０が切り欠き穴２２を貫通して床面９と当接する。
【００２５】
補強フレーム３０は、天板１０にブラケット３１に回動可能に保持され、補強フレーム３０の直線部３２を中心に天板１０に対して垂直及び並行になるように回動する。補強フレーム３０は、補強フレーム３０の回動と連動して直線部３２を中心に回動するレバー３３が一体に設けられる。補強フレーム３０の脚部３４は、補強フレーム３０が天板１０に対して垂直に配置される際にストッパ３５と当接する。
【００２６】
図４は、引き出し式のベッド収納装置７のＢ部拡大図である。天板１０は、補強フレーム３０の脚部３４を収容する２つの溝１１を備え、係止部材１２はサイドボード４側の溝に設けられ、補強フレーム３０のサイドボード４側の脚部３４を係止する。補強フレーム３０のサイドボード５側の脚部３４は、ストッパ３５と当接する。収納箱２０は、底部２１のサイドボード４側に、サイドボード５側の脚部３４が貫通する切り欠き穴２２が設けられる。
【００２７】
引き出し式のベッド収納装置７の動作を図５〜図７を用いて説明する
図５は、収納箱２０が収納した状態のＣ−Ｃ断面図である。補強フレーム３０は、平面がコの字形を呈し、中央の直線部３２が回動軸として機能する。天板１０に作用する荷重の一部を床面９と当接する２本の脚部３４が支持する。このとき、補強フレーム３０のサイドボード４側の脚部３４は、収納箱２０の切り欠き穴２２を貫通するため、収納箱２０を引き出そうとすると、底部２１の切り欠き穴２２と補強フレーム３０の脚部３４が干渉する。
【００２８】
図６は、レバー３３を回動して補強フレーム３０を垂直から水平に回動する状態を示す説明図である。レバー３３を９０度時計周りに回動すると、レバー３３と一体に設けられた補強フレーム３０は、天板１０に対して垂直な状態から直線部３２を中心に時計回りに回動して、天板１０に対して水平な状態になる。このとき脚部３４は天板１０に設けられた溝１１に収容され、脚部３４は係止部材１２に係止され、補強フレーム３０の脚部３４が床面９方向に回動するのを規制する。
【００２９】
図７は、収納箱２０が引き出された状態のＣ−Ｃ断面図である。補強フレーム３０の脚部３４は天板１０の溝１１に収容され、また収納箱２０の底部２１の切り欠き穴２２と補強フレーム３０脚部３４の干渉が解消されるため、収納箱２０の引き出しが可能になる。
【００３０】
本発明のベッド１では、補強フレーム３０は収納箱２０が収納した状態では収納箱２０の切り欠き穴２２を貫通して床面９と当接するように天板１０に対して垂直に配置される構成のため、図示しないマットレスから天板１０に作用する荷重を支持することができる。よって収納箱２０をベッドフレーム６の側面に一体に構成してもベッドフレーム６の強度を確保できる。また、補強フレーム３０は収納箱２０の切り欠き穴２２を貫通する構成のため、収納箱２０の引き出しをロックする効果を奏する。補強フレーム３０は収納箱２０を引き出す際は天板１０に対して並行に配置されるため、補強フレーム３０と収納箱２０は干渉することなく、収納箱２０の引き出しが可能になる。床板８を可動することなく布団、スーツケース、収納ケース、掃除機等の大容量の収納物の出し入れが可能になる。ベッドフレーム６の床板８を上下に可動させる跳ね上げ機構が不要で、収納物の出し入れ、ベッドのメイキングの崩れ、ベッド１の重量の増加といった問題を解決できる。また収納箱２０はベッドフレーム６の側面に一体に構成されるため、意匠性が向上する。
【００３１】
また、補強フレーム３０と連動して回動するレバー３３を備えることで、補強フレーム３０の回動をレバー３３により操作可能となり、補強フレーム３０の操作性が向上する。
【００３２】
また、補強フレーム３０の平面形状をコの字形として、中央の直線部３２を天板にブラケットで回動可能に保持して回動軸とすることで、マットレスから天板１０に作用する荷重を２本の脚部３４で支持することができ、ベッドフレーム６の強度が向上する。
【００３３】
また、天板１０に補強フレーム３０を収容する溝１１と補強フレーム３０を係止する係止部材１２とを設けることで、補強フレーム３０と収納箱２０との干渉を防止でき、また補強フレーム３０の脚部３４が床面９方向に回動することを防止できる。
【００３４】
また、ベッド収納装置７は補強フレーム３０に当接するストッパ３５を備えるため、補強フレーム３０を回動して天板１０に対して垂直に配置する際に切り欠き穴２２を貫通して床面９と当接する所望の位置が得られる。
【符号の説明】
【００３５】
１  ベッド
６  ベッドフレーム
７  ベッド収納装置
１０  天板
１１  溝
１２  係止部材
２０  収納箱
２１  底部
２２  切り欠き穴
３０  補強フレーム
３２  直線部
３３  レバー
３５  ストッパ
【図１】
2011254953.tif 000003
【図２】
2011254953.tif 000004
【図３】
2011254953.tif 000005
【図４】
2011254953.tif 000006
【図５】
2011254953.tif 000007
【図６】
2011254953.tif 000008
【図７】
2011254953.tif 000009
【図８】
2011254953.tif 000010
【図９】
2011254953.tif 000011